(57)【要約】【課題】  横坑内に吊下した推進管を受け台に載せて本立坑内の発進位置へ横移動させる推進管移動装置であって、推進時における推進管の移動に伴う摩擦をなくして推進管の外面の損傷を防止する。【解決手段】  受け台６を吊下位置と発進位置との間で横行させる横行ガイドレール４と、受け台６を発進位置と押し切り位置との間で進退させる進退ガイドレール５とを基礎架台３上に設置し、進退ガイドレール５上の受け台６を基礎架台３に解除可能に係合するフック６ｆを受け台６に設ける。発進位置へ移動した推進管を受け台６に載せたまま後方から押圧すると、受け台６が進退ガイドレール５を走行しながら推進管が推進する。したがって、推進管は推進時に受け台６と一体で移動するから、摩擦がなくて推進管の外面を損傷しない。【選択図】  図１
2008291433.tif 000002
【特許請求の範囲】
【請求項１】
本立坑を推進路線と直角方向に拡幅して横坑を構築し、同横坑から推進管を吊下して本立坑内の発進位置へ移動させて推進させる推進工法において、横坑内に吊下した推進管を受け台に載せて発進位置を介して押し切り位置まで移動させる推進管移動装置であって、受け台を吊下位置と発進位置との間で横行させる横行ガイドレールと、受け台を発進位置と押し切り位置との間で進退させる進退ガイドレールとを基礎架台上に設置し、進退ガイドレール上の受け台を基礎架台に解除可能に係合するフックを受け台に設け、発進位置へ移動させた推進管を受け台に載せたまま受け台の走行とともに推進開始位置から押し切り位置まで推進できるようにしたことを特徴とする、推進管移動装置。
【請求項２】
受け台に横行ガイドレールを走行する横行用ローラーと進退ガイドレールを走行する進退用ローラーを別々に設け、進退用ローラーに伸縮ジャッキを備え、伸縮ジャッキの伸張時に横行用ローラーが横行ガイドレールから離間し且つ伸縮ジャッキの縮退時に進退用ローラーが進退ガイドレールから離間するようにした、請求項１記載の推進管移動装置。
【請求項３】
推進管を受け台上で推進方向へ移動させる補助ローラーを受け台に設けた、請求項１又は２記載の推進管移動装置。
【発明の詳細な説明】
【技術分野】
【０００１】
本発明は、地中の障害物、特に地下埋設管が支障となる場合や、交通事情により本立坑内に推進管を直接吊り下ろしできない場合における推進工法において、横坑内に吊下した推進管を受け台に載せたまま本立坑内の発進位置へ横移動させ、その状態を維持したまま推力を受けて前方へ推進できる推進管移動装置に関する。
【背景技術】
【０００２】
昨今の推進工法に必要な発進立坑は道路占有が厳しく、地下埋設物の輻輳化等で推進路線直下の発進架台に推進管を直接吊り下ろすることが不可能な場合が多い。その場合の施工方法としては、発進立坑を推進路線と直角方向に大きく拡幅するか（長方形立坑から正方形へ）、又はＴ型立坑やＬ型立坑等にして推進管投入口のための立坑スペースを設ける発進立坑を構築する必要がある。そのため、民地や道路路肩部までを発進立坑スペースとし、推進路線から離れた箇所で推進管を投入し、その推進管を推進路線直下に設置された発進架台上まで横移動させる施工法が求められている。
【０００３】
その場合の推進管を移動させる方法が特許文献１，２で開示されている。特許文献１の技術は、発進架台の途中を一部撤去し、撤去した部分に移動架台を移動させて推進管を発進させる技術であり、特許文献２の技術は、発進立坑内に天上クレーンや門型クレーンを設置して推進管の横移動を行う技術である。しかしながら、特許文献１の技術は移動架台が発進架台の一部となるから、繰り返される推進管の移動やその重量等で推進管の外面が損傷したり発進架台の変位が大きくなる欠点があり、また、特許文献２の技術は立坑土留め構造との構造上の関連性や立坑スペースの制限及び作業の安全性に問題を抱えていた。
【特許文献１】特許第３２５２１０２号公報
【特許文献２】特開２００２−４７７９号公報
【発明の開示】
【発明が解決しようとする課題】
【０００４】
本発明が解決しようとする課題は、従来のこれらの問題点を解消し、推進時における推進管の移動に伴う発進架台鋼材とコンクリート管の摩擦をなくして推進管の外面の損傷を防止できる推進管移動装置を提供することにある。
【課題を解決するための手段】
【０００５】
かかる課題を解決した本発明の構成は、
１）  本立坑を推進路線と直角方向に拡幅して横坑を構築し、同横坑から推進管を吊下して本立坑内の発進位置へ移動させて推進させる推進工法において、横坑内に吊下した推進管を受け台に載せて発進位置を介して押し切り位置まで移動させる推進管移動装置であって、受け台を吊下位置と発進位置との間で横行させる横行ガイドレールと、受け台を発進位置と押し切り位置との間で進退させる進退ガイドレールとを基礎架台上に設置し、進退ガイドレール上の受け台を基礎架台に解除可能に係合するフックを受け台に設け、発進位置へ移動させた推進管を受け台に載せたまま受け台の走行とともに推進開始位置から押し切り位置まで推進できるようにしたことを特徴とする、推進管移動装置
２）  受け台に横行ガイドレールを走行する横行用ローラーと進退ガイドレールを走行する進退用ローラーを別々に設け、進退用ローラーに伸縮ジャッキを備え、伸縮ジャッキの伸張時に横行用ローラーが横行ガイドレールから離間し且つ伸縮ジャッキの縮退時に進退用ローラーが進退ガイドレールから離間するようにした、前記１）記載の推進管移動装置
３）  推進管を受け台上で推進方向へ移動させる補助ローラーを受け台に設けた、前記１）又は２）記載の推進管移動装置
にある。
【発明の効果】
【０００６】
本発明によれば、横坑から吊下した推進管を受け台上に載せ、その受け台を横行ガイドレールに沿って発進位置まで横移動し、発進位置へ移動した受け台をフックで基礎架台に係合し、推進管を受け台に載せたまま推進管を後方から押圧すると、受け台が進退ガイドレールを走行しながら推進管が推進する。したがって、推進管は推進時に受け台と一体で移動するから、摩擦がなくて推進管の外面を損傷することがない。また、基礎架台は従来のように一部を撤去することがないから、推進時に必要な受け台としての架台の構造上の強度を確保できる。
【発明を実施するための最良の形態】
【０００７】
本発明では、推進管を受け台上で推進方向へ移動させる補助ローラーを受け台に設けると、推進管が受け台から離脱する際の摩擦をなくし、推進管の損傷をさらに防止できる。以下、本発明の実施例を図面に基づいて具体的に説明する。
【実施例１】
【０００８】
図１は実施例の推進管移動装置の平面図、図２は実施例の受け台の側面図、図３，４は実施例の受け台の移動と推進管の推進を示す説明図である。図中、１は本立坑、１ａは覆工板、２は横坑、３は基礎架台、４は横行ガイドレール、５は進退ガイドレール、６は受け台、６ａは横行用ローラー、６ｂは進退用ローラー、６ｃは伸縮ジャッキ、６ｄは台座、６ｅは補助ローラー、６ｆはフック、６ｇは押さえバンド、７は元押しジャッキ、７ａは押輪、７ｂは押輪吊用チェーンブロック、８は推進管である。
【０００９】
本実施例は、本立坑１を推進路線と直角方向に拡幅して横坑２を構築し、本立坑１の上方には通行用の覆工板１ａを設置している。本立坑１及び横坑２には基礎架台３を設置し、本立坑１の後壁位置に元押しジャッキ７を設置している。基礎架台３上には、受け台６を吊下位置と発進位置との間で横行させる横行ガイドレール４と、受け台６を発進位置と押し切り位置との間で進退させる進退ガイドレール５とを交差するように設置している。
【００１０】
受け台６は、横行ガイドレール４を走行する４個の横行用ローラー６ａと、進退ガイドレール５を走行する４個の進退用ローラー６ｂとを別々に取り付けている。進退用ローラー６ｂは油圧式の伸縮ジャッキ６ｃを備え、伸縮ジャッキ６ｃの伸張時に横行用ローラー６ａが横行ガイドレール４から離間し且つ伸縮ジャッキ６ｃの縮退時に進退用ローラー６ｂが進退ガイドレール５から離間できるようにしている。
【００１１】
受け台６の上面には推進管８を支持する４体の台座６ｄを備え、台座６ｄに推進管８を推進方向へ移動させる補助ローラー６ｅを取り付けている。受け台６の両側には進退ガイドレール５上において基礎架台３の一部に係合するフック６ｆを解除可能に取り付けている。
【００１２】
本実施例では、伸縮ジャッキ６ｃを縮退させて進退用ローラー６ｂを進退ガイドレール５から離間させるとともに横行用ローラー６ａを横行ガイドレール４に着地させ、両側のフック６ｆを基礎架台３から外した状態で受け台６を横坑２の吊下位置に配置する。推進管８をクレーン（図示せず）で横坑２の上方から吊下し、受け台６の台座６ｄに載せて押さえバンド６ｇで固定し、受け台６を横行ガイドレール４に沿って発進位置まで横移動させる。
【００１３】
発進位置では伸縮ジャッキ６ｃを伸張させて進退用ローラー６ｂを進退ガイドレール５に着地させるとともに横行用ローラー６ａを横行ガイドレール４から離間させ、両側のフック６ｆを下ろして基礎架台３の一部（Ｈ型鋼のフランジ部分）に係合する。
【００１４】
元押しジャッキ７の先端に備えた押輪７ａを推進管８の後端に挿着し、元押しジャッキ７を伸張させて推進する。受け台６はその押力で進退ガイドレール５上を走行し、その受け台６に載せた推進管８が先行する別の推進管８と接合して推進する。この際、推進管８は受け台６と一体で推進方向へ移動するから、摩擦がなくて推進管８の外面を損傷しない。また、掘削時の反力を受けて推進管８を固定している受け台６が横転（ローリング）しようとするが、フック６ｆを基礎架台３に係合しているから横転が防止される。
【００１５】
受け台６が前進可能位置まで走行すると押さえバンド６ｇを外し、さらに推進させると推進管８が補助ローラー６ｅで受け台６の台座６ｄ上を前方へ移動し、押し切り位置まで推進すると推進管８が受け台６から離脱する（図４参照）。これにより、推進管８が受け台６から離脱する際の摩擦をなくし、推進管８の損傷がさらに防止される。
【００１６】
次の推進管８を推進させるために、フック６ｆを基礎架台３から外し、元押しジャッキ７を縮退させるとともに受け台６を元の発進位置へ後退させ、伸縮ジャッキ６ｃを縮退させて進退用ローラー６ｂを進退ガイドレール５から離間させるとともに横行用ローラー６ａを横行ガイドレール４に着地させ、横行ガイドレール４に沿って横坑２の吊下位置へ横移動させ、前記の工程が繰り返される。
【産業上の利用可能性】
【００１７】
本発明の推進管移動装置は、推進路線の上方を開放できない箇所のトンネル工事に利用される。
【図面の簡単な説明】
【００１８】
【図１】実施例の推進管移動装置の平面図である。
【図２】実施例の受け台の側面図である。
【図３】実施例の受け台の移動と推進管の推進を示す説明図である。
【図４】実施例の受け台の移動と推進管の推進を示す説明図である。
【符号の説明】
【００１９】
１  本立坑
１ａ  覆工板
２  横坑
３  基礎架台
４  横行ガイドレール
５  進退ガイドレール
６  受け台
６ａ  横行用ローラー
６ｂ  進退用ローラー
６ｃ  伸縮ジャッキ
６ｄ  台座
６ｅ  補助ローラー
６ｆ  フック
６ｇ  押さえバンド
７  元押しジャッキ
７ａ  押輪
７ｂ  押輪吊用チェーンブロック
８  推進管
【図１】
2008291433.tif 000003
【図２】
2008291433.tif 000004
【図３】
2008291433.tif 000005
【図４】
2008291433.tif 000006